(57)【要約】【課題】尿パッド等を固定でき、取り扱いやすいおむつカバーを提供する。【解決手段】おむつカバー本体１２と、おむつカバー本体１２の肌面側に設けられたフラップ１５を有するおむつカバー１１であって、フラップ１５に、おむつカバー本体１２と係合可能にフック部材１６が設けられている、または、おむつカバー本体１２の肌面側に、フラップ１５と係合可能にフック部材１６が設けられているおむつカバー。【選択図】図４
2013172867.tif 000002
【特許請求の範囲】
【請求項１】
おむつカバー本体と、前記おむつカバー本体の肌面側に設けられたフラップを有するおむつカバーであって、
前記フラップに、前記おむつカバー本体と係合可能にフック部材が設けられていることを特徴とするおむつカバー。
【請求項２】
おむつカバー本体と、前記おむつカバー本体の肌面側に設けられたフラップを有するおむつカバーであって、
前記おむつカバー本体の肌面側に、前記フラップと係合可能にフック部材が設けられていることを特徴とするおむつカバー。
【請求項３】
前記おむつカバーは前後方向と幅方向を有するとともに、前後方向に前腹部と後背部とそれらの間に位置する股部とを有し、
前記フラップは、前記股部の幅方向の両側に前後方向に延びるように設けられている請求項１に記載のおむつカバー。
【請求項４】
前記フック部材は、前記フラップの外側面に設けられている請求項３に記載のおむつカバー。
【請求項５】
前記おむつカバーは前後方向と幅方向を有するとともに、前後方向に前腹部と後背部とそれらの間に位置する股部とを有し、
前記フラップは、前記股部の幅方向の両側に前後方向に延びるように設けられている請求項２に記載のおむつカバー。
【請求項６】
前記フック部材は、前記フラップよりも幅方向の外方の前記おむつカバー本体に設けられている請求項５に記載のおむつカバー。
【請求項７】
前記おむつカバー本体および前記フラップは布製である請求項１〜６のいずれか一項に記載のおむつカバー。
【発明の詳細な説明】
【技術分野】
【０００１】
本発明は、おむつカバーに関するものである。
【背景技術】
【０００２】
従来、尿パッド等を着用者の股部に当てて装着するためのおむつカバーが知られている。おむつカバーは肌面側に尿パッド等を載置して用いられるが、おむつカバーの着用時、尿パッド等は、おむつカバーの股部に固定されて、ずれたりしないようにすることが求められる。尿パッド等をおむつカバーに固定する方法として、例えば特許文献１には、尿パッド等の外面側に粘着層を設けることが開示されている。また特許文献２には、おむつカバーの肌面側にネット状のカバーを取り付け、このネット状カバーにより尿パッドをおむつカバーの肌面側に固定することが開示されている。
【先行技術文献】
【特許文献】
【０００３】
【特許文献１】特開平８−５２１７４号公報
【特許文献２】特開２０１１−１２５６５７号公報
【発明の概要】
【発明が解決しようとする課題】
【０００４】
ところで、尿パッド等の使い捨て吸収性物品は様々な種類があり、外面側に粘着層が設けられない尿パッド等も多く存在する。従って、おむつカバーを用いて尿パッド等を装着する場合は、着用者が自分に合った尿パッド等を選べるように、おむつカバーに尿パッド等を固定するための手段を設けることが好ましい。
【０００５】
本発明は前記事情に鑑みてなされたものであり、その目的は、尿パッド等を固定でき、取り扱いやすいおむつカバーを提供することにある。
【課題を解決するための手段】
【０００６】
前記課題を解決することができた本発明のおむつカバーとは、おむつカバー本体と、おむつカバー本体の肌面側に設けられたフラップを有するおむつカバーであって、フラップに、おむつカバー本体と係合可能にフック部材が設けられているところに特徴を有する。本発明はまた、おむつカバー本体と、おむつカバー本体の肌面側に設けられたフラップを有するおむつカバーであって、おむつカバー本体の肌面側に、フラップと係合可能にフック部材が設けられているおむつカバーも提供する。
【０００７】
本発明のおむつカバーは、おむつカバーの着用時に、おむつカバーの肌面側に載置する尿パッド等を、フック部材によりおむつカバーに固定することができる。一方、フック部材を使用しないときにはフック部材をおむつカバー本体またはフラップで覆って、フック部材が露出しないようにすることができる。従って、おむつカバーを非着用状態で取り扱う際、例えば、おむつカバーを洗濯する際など、フック部材が意図せず他の衣類やおむつカバーの所望しない箇所に係合することが防止され、おむつカバーを取り扱いやすくなる。
【０００８】
おむつカバーは前後方向と幅方向を有するとともに、前後方向に前腹部と後背部とそれらの間に位置する股部とを有し、フラップは、股部の幅方向の両側に前後方向に延びるように設けられていることが好ましい。このようにフラップが配されていれば、フラップまたはおむつカバー本体に設けられたフック部材により、おむつカバーの肌面側に載置した尿パッド等が着用者の股部で好適に固定され、尿パッド等がおむつカバーの脚周りからはみ出しにくくなる。
【０００９】
フラップが股部の幅方向の両側に前後方向に延びるように設けられる場合、フック部材は、フラップの外側面に設けられていることが好ましい。このようにフック部材が設けられていれば、おむつカバーの着用時、フック部材を尿パッド等の外面側（例えば、バックシート）の幅方向の端部に係合することにより、尿パッド等の肌面側に設けられた立ち上がりフラップ（防漏フラップ）が起立しやすくなり、尿等の横漏れ防止効果が高まる。
【００１０】
フラップが股部の幅方向の両側に前後方向に延びるように設けられる場合、フック部材は、フラップよりも幅方向の外方のおむつカバー本体に設けられていることも好ましい。この場合、フック部材がおむつカバーの幅方向の端部に設けられることとなり、フック部材を尿パッド等の外面側（例えば、バックシート）にも肌面側（例えば、トップシート）にも係合させることが可能となる。従って、様々な大きさ（幅）の尿パッド等をおむつカバーに固定することが可能となる。
【００１１】
おむつカバー本体およびフラップは布製であることが好ましい。おむつカバー本体とフラップが布製であれば、おむつカバー本体やフラップにループ部材を別部材として設けなくても、おむつカバー本体またはフラップがフック部材と係合可能となる。また、おむつカバーの肌触りが良くなり、おむつカバーの着用感が向上する。
【発明の効果】
【００１２】
本発明のおむつカバーは、着用時には、おむつカバーに設けられたフック部材により尿パッド等をおむつカバーに固定することができる。一方、フック部材を使用しないときにはフック部材をおむつカバー本体またはフラップで覆って、フック部材が露出しないようにすることができるため、おむつカバーを非着用状態で取り扱う際、フック部材が意図せず他の衣類やおむつカバーの所望しない箇所に係合することが防止され、おむつカバーを取り扱いやすくなる。
【図面の簡単な説明】
【００１３】
【図１】本発明のおむつカバーの一例を表し、おむつカバーを肌面側から見た平面図を表す。
【図２】図１に示したおむつカバーのＩＩ−ＩＩ断面図を表す。
【図３】図１に示したおむつカバーのＩＩＩ−ＩＩＩ断面図を表す。
【図４】本発明のおむつカバーの他の例を表し、おむつカバーを肌面側から見た平面図を表す。
【図５】図４に示したおむつカバーのＶ−Ｖ断面図を表す。
【発明を実施するための形態】
【００１４】
本発明のおむつカバーは、おむつカバー本体と、おむつカバー本体の肌面側に設けられたフラップを有し、おむつカバー本体の肌面側またはフラップに面ファスナーのフック部材が設けられている。おむつカバーは、肌面側に尿パッドのような使い捨て吸収性物品や布製のおむつを載置して用いられ、おむつカバーに設けられたフック部材により、尿パッド等をおむつカバーの肌面側に固定することができる。一般に、尿パッドのような使い捨て吸収性物品は不織布等の布材料を構成部材として有していることから、フック部材を布材料と係合させることにより、尿パッド等をおむつカバーの肌面側に固定することができる。布製のおむつについても同様に、フック部材と係合させることにより、おむつカバーの肌面側に固定することができる。
【００１５】
おむつカバーの形状（平面形状）は特に限定されない。おむつカバーは、左右に一対の止着部材が備えられ、当該止着部材により着用時にパンツ型に形成するオープン型おむつカバーであってもよく、ウェスト開口部と一対の脚開口部とが形成されたパンツ型おむつカバーであってもよい。
【００１６】
おむつカバーを構成する材料（おむつカバー本体やフラップの材料）は特に限定されない。おむつカバーを構成する材料としては、不織布、織布、編布、プラスチックフィルム、およびこれらの積層体等を使用できる。おむつカバーを構成する材料として不織布、織布、編布等の布材料を用いる場合、布材料を構成する繊維としては、例えば、ポリオレフィン、ポリエステル、ポリアミド、ポリウレタン等の合成繊維、パルプ、綿、絹等の天然繊維を用いればよい。おむつカバーを構成する材料としてプラスチックフィルムを用いる場合は、例えば、ポリオレフィン、ポリエステル、ポリアミド、ポリウレタン等の合成樹脂を用いればよい。おむつカバーは、液透過性であっても、液不透過性であってもよい。
【００１７】
フック部材は、面ファスナー（フック・ループ・ファスナー）のフック部材を用いることができる。フック部材としては、錨形や鉤形やきのこ形等の形状のフックを多数表面に有する部材を採用すればよい。フック部材は、例えば、平面状の基盤と、基盤から突出する複数のフックを有し、基盤は、フックが設けられる面と反対側の面で、おむつカバー本体やフラップに固定される。
【００１８】
おむつカバー本体の肌面側に設けられるフラップは、おむつカバー本体に固定または接続する固定部と、固定部から延在しておむつカバー本体に固定されないカバー部を有する。カバー部は、フラップの固定されない端部（自由端部）を含むように形成される。フラップは、カバー部がおむつカバー本体から起立可能に形成されるとともに、カバー部を傾倒させるとおむつカバー本体と少なくとも一部が重なるように形成される。
【００１９】
フラップは、おむつカバー本体の肌面側に設けられる限り、その配設位置や数は特に限定されない。なお本発明のおむつカバーでは、フラップにフック部材が設けられ、あるいはフラップがフック部材と係合可能に設けられ、フック部材は尿パッド等を固定するために設けられることから、フラップはおむつカバーの股部に設けられることが好ましい。またフラップは、おむつカバーの股部の最も幅狭な部分の外縁より幅方向の内側であって、股部よりも前側に位置する前腹部または股部よりも後側に位置する後背部に設けられることも好ましい。
【００２０】
本発明において、前後方向とは、おむつカバーを着用者が着用した際、着用者の股間の前後方向に延びる方向を意味する。前後方向において、着用者の腹側に当てられる位置を前腹部と称し、着用者の背側に当てられる位置を後背部と称する。幅方向とは、おむつカバーと同一面上にあり、前後方向と直交する方向を意味する。前腹部、股部、および後背部は、例えば、それぞれおむつカバーの前後方向の長さの３０％、３０％、および４０％の領域を占める。また、肌面側とは、おむつカバーを着用した際の着用者側を意味し、外面側とは、おむつカバーを着用した際の着用者とは反対側、すなわち外側を意味する。
【００２１】
フラップは、おむつカバー本体とは別部材でおむつカバー本体に取り付けられてもよく、おむつカバー本体を構成するシート部材の一部がフラップを形成するものでもよい。後者の場合、例えば、おむつカバー本体を構成するシート部材をひだ状に折り返すことによりフラップを形成したり、シート部材の一部をおむつカバー本体とし他部をフラップとして形成し、フラップを形成するシート部材の外面側に別のシート部材を取り付けたりする（このとき、別のシート部材はおむつカバー本体の一部を構成することとなる）態様が示される。
【００２２】
おむつカバーは、フラップに、おむつカバー本体と係合可能にフック部材が設けられている、あるいは、おむつカバー本体の肌面側に、フラップと係合可能にフック部材が設けられている。本発明のおむつカバーは、このようにフック部材とフラップを設けることにより、フック部材を使用しないときにはフック部材をおむつカバー本体またはフラップで覆って、フック部材が露出しないようにすることができる。従って、おむつカバーを非着用状態で取り扱う際、例えば、おむつカバーを洗濯する際など、フック部材が意図せず他の衣類やおむつカバーの所望しない箇所に係合することが防止され、おむつカバーの取り扱い性が向上する。
【００２３】
フラップにフック部材が設けられる場合、フック部材は、フラップのカバー部に設けられ、カバー部を傾倒させたときにおむつカバー本体と面する部分に設けられる。つまり、フック部材はおむつカバー本体と係合可能に設けられる。従って、おむつカバー本体のうちフック部材が面する部分に面ファスナーのループ部材を設けたり、おむつカバー本体のうちフック部材が面する部分をループ部材として機能する材料（例えば、布材料）で構成すればよい。
【００２４】
おむつカバー本体の肌面側にフック部材が設けられる場合、フック部材は、フラップのカバー部を傾倒させたときにカバー部と重なる部分に設けられる。つまり、フック部材はフラップと係合可能に設けられる。従って、フラップのうちフック部材が面する部分に面ファスナーのループ部材を設けたり、フラップのうちフック部材が面する部分をループ部材として機能する材料（例えば、布材料）で構成すればよい。
【００２５】
おむつカバー本体とフラップは布製であることが好ましい。おむつカバー本体とフラップが布製であれば、面ファスナーのループ部材を設けなくても、おむつカバー本体またはフラップがフック部材と係合可能となる。また、おむつカバーの肌触りが良くなり、おむつカバーの着用感が向上する。
【００２６】
次に、本発明のおむつカバーの構成例について、図面を参照して説明する。なお、本発明のおむつカバーは図面に示された実施態様に限定されるものではない。
【００２７】
図１〜図３には、本発明のおむつカバーの一例を示した。図１はおむつカバーを肌面側から見た平面図を表し、図２は図１に示したおむつカバーのＩＩ−ＩＩ断面図を表し、図３は図１に示したおむつカバーのＩＩＩ−ＩＩＩ断面図を表す。なお図面では、矢印ｘが幅方向、矢印ｙが前後方向を表す。
【００２８】
おむつカバー１は、前後方向ｙと幅方向ｘを有するとともに、前後方向ｙに前腹部Ｆと後背部Ｂとそれらの間に位置する股部Ｃとを有する。前腹部Ｆは、おむつカバー１の前後方向ｙの一方端に形成され、おむつカバー着用時に着用者の腹側に当てられる。後背部Ｂは、おむつカバー１の前後方向ｙの他方端に形成され、おむつカバー着用時に着用者の背側に当てられる。股部Ｃは、前腹部Ｆと後背部Ｂとの間に位置し、おむつカバー着用時に着用者の股間に当てられる。なお、前腹部Ｆ、股部Ｃ、後背部Ｂは、後記する右ウェスト部ＲＷ、左ウェスト部ＬＷを含まない部分と規定する。図１では、前腹部Ｆ、股部Ｃ、後背部Ｂ、右ウェスト部ＲＷ、左ウェスト部ＬＷを、便宜的に一点鎖線で区分して表示している。
【００２９】
おむつカバー１は、後背部Ｂから幅方向ｘに延在する右ウェスト部ＲＷと左ウェスト部ＬＷとを有する。右ウェスト部ＲＷと左ウェスト部ＬＷは、おむつカバー１の着用時にそれぞれ着用者の右側と左側の腰周りに当てられる部分である。
【００３０】
図１では、左ウェスト部ＬＷの肌面側にウェストフック部材３が設けられている。おむつカバー１は、ウェストフック部材３により右ウェスト部ＲＷと左ウェスト部ＬＷを連結して、左右ウェスト部ＲＷ，ＬＷを着用者の腰周りに固定することができる。なお、ウェストフック部材は、左ウェスト部ＬＷに設ける代わりに右ウェスト部ＲＷに設けてもよい。また、左ウェスト部ＬＷと右ウェスト部ＲＷの一方の肌面側にウェストフック部材を設けるとともに、他方の外面側にもウェストフック部材を設けてもよい。
【００３１】
おむつカバー１には、前腹部Ｆの肌面側の幅方向ｘの両側に前側フック部材４が設けられている。おむつカバー１は、右ウェスト部ＲＷと左ウェスト部ＬＷを着用者の腰周りに装着した後、前腹部Ｆを着用者の股間を通して着用者の腹側に持ってきて、前側フック部材４を右ウェスト部ＲＷまたは左ウェスト部ＬＷに固定することで、着用することができる。
【００３２】
おむつカバー１は、前腹部Ｆ、股部Ｃ、後背部Ｂ、右ウェスト部ＲＷ、左ウェスト部ＬＷから構成されるおむつカバー本体２を有する。おむつカバー１では、おむつカバー本体２が布から構成され、おむつカバー本体２がウェストフック部材３や前側フック部材４と係合可能に構成されている。
【００３３】
おむつカバー本体２の肌面側にはフラップ５，７が設けられている。図２および図３に示すように、フラップ５，７はおむつカバー本体２とは別部材としておむつカバー本体２に取り付けられ、フラップ５は、おむつカバー本体２に固定された固定部５Ａと、おむつカバー本体２に固定されないカバー部５Ｂを有し、フラップ７は、おむつカバー本体２に固定された固定部７Ａと、おむつカバー本体２に固定されないカバー部７Ｂを有している。おむつカバー１では、フラップ５，７も布から構成されている。
【００３４】
図２に示すように、フラップ５のカバー部５Ｂには、おむつカバー本体２と係合可能にフック部材６が設けられている。おむつカバー１に尿パッド等を取り付ける際は、フラップ５を折り返してフック部材６を露出させ、尿パッド等をフック部材６に係合して固定させる。おむつカバー１を着用しないときは、フック部材６をおむつカバー本体２に係合させるようにフラップ５をおむつカバー本体２に重ねる。おむつカバー１はこのようにフラップ５とフック部材６を設けることにより、おむつカバー１の着用時には好適に尿パッド等を固定することができ、おむつカバー１の非着用時には、フック部材６が意図せず他の部材等に係合するのが防止され、おむつカバー１を取り扱いやすくなる。
【００３５】
図３に示すように、フラップ７と重なるおむつカバー本体２の部分には、フック部材８が設けられている。すなわち、フック部材８は、おむつカバー本体２の肌面側にフラップ７と係合可能に設けられている。おむつカバー１に尿パッド等を取り付ける際は、フラップ７を折り返してフック部材８を露出させ、尿パッド等をフック部材８に係合して固定させる。おむつカバー１を着用しないときは、フラップ７をフック部材８に重ねてフック部材８をフラップ７で覆うようにする。おむつカバー１はこのようにフラップ７とフック部材８を設けることにより、おむつカバー１の着用時には好適に尿パッド等を固定することができ、おむつカバー１の非着用時には、フック部材８が意図せず他の部材等に係合するのが防止され、おむつカバー１を取り扱いやすくなる。
【００３６】
図４、図５には、本発明のおむつカバーの他の例を示した。図４はおむつカバーを肌面側から見た平面図を表し、図５（ａ），（ｂ）は図４に示したおむつカバーのＶ−Ｖ断面図を表す。なお図５（ａ）と図５（ｂ）は、フック部材の設置態様が異なる。
【００３７】
下記の説明において、図１〜図３に示したおむつカバーの説明と重複する部分は説明を省略する。ただし上記説明において、「おむつカバー１」、「おむつカバー本体２」、「ウェストフック部材３」、「前側フック部材４」はそれぞれ、「おむつカバー１１」、「おむつカバー本体１２」、「ウェストフック部材１３」、「前側フック部材１４」と読み替える。
【００３８】
図４および図５に示したおむつカバー１１では、フラップ１５がおむつカバー本体１２を構成する本体シート１７の一部から構成されている。すなわち、本体シート１７の一部がおむつカバー本体１２を形成し、他部がフラップ１５を形成している。そして、フラップ１５の外面側にサイドシート１８が取り付けられ、サイドシート１８がおむつカバー本体１２の一部を形成している。つまり、おむつカバー１１では、本体シート１７の一部とサイドシート１８とでおむつカバー本体１２を形成し、本体シート１７のサイドシート１８が接合した箇所がフラップ１５の固定部を形成し、本体シート１７の当該接合箇所より幅方向ｘの外方部分がフラップ１５となっている。
【００３９】
おむつカバー１１は、フラップ１５が股部Ｃの幅方向ｘの両側に前後方向ｙに延びるように設けられている。具体的には、フラップ１５は、股部Ｃの幅方向ｘの中心線の両側に、前後方向ｙに延びるように設けられている。このようにフラップ１５が配されていれば、フラップ１５またはおむつカバー本体１２にフック部材を設けることにより、おむつカバー１１の肌面側に載置した尿パッド等が着用者の股部で好適に固定され、尿パッド等がおむつカバー１１の脚周りからはみ出しにくくなる。特に、おむつカバー１１の脱着時に、フック部材により固定された尿パッド等がずれたりして落下しにくくなる。
【００４０】
フラップ１５が股部Ｃの幅方向ｘの両側に前後方向ｙに延びるように設けられる場合、フック部材は、フラップ１５の外面側か、フラップ１５よりも幅方向ｘの外方のおむつカバー本体１２に設けられることが好ましい。図５（ａ）には前者の態様が示され、図５（ｂ）には後者の態様が示されている。
【００４１】
図５（ａ）では、フック部材１６がフラップ１５の幅方向ｘの外側面に設けられ、フック部材１６がおむつカバー本体１２（サイドシート１８）と係合可能に設けられている。このようにフック部材１６が設けられていれば、おむつカバー１１の着用時、フック部材１６を尿パッド等の外面側（例えば、バックシート）の幅方向の端部に係合することにより、尿パッド等の肌面側に設けられた立ち上がりフラップ（防漏フラップ）が起立しやすくなり、尿等の横漏れ防止効果が高まる。特に、尿パッド等の幅方向の端部を、おむつカバー１１のフラップ１５とおむつカバー本体１２（サイドシート１８）の間に折り返してフック部材１６に係合させると、尿パッド等の立ち上がりフラップがさらに起立しやすくなる。
【００４２】
図５（ｂ）では、フック部材１６が、フラップ１５よりも幅方向ｘの外方のおむつカバー本体１２（サイドシート１８）に設けられ、フック部材１６がフラップ１５と係合可能に設けられている。この場合、フック部材１６がおむつカバー１１の幅方向ｘの端部に設けられることとなり、フック部材１６を尿パッド等の外面側（例えば、バックシート）にも肌面側（例えば、トップシート）にも係合させることが可能となる。すなわち、フック部材１６を尿パッド等の外面側に係合させる場合は、フラップ１５を折り返してフック部材１６を露出させ、その上に尿パッド等を載置すればよい。フック部材１６を尿パッド等の肌面側に係合させる場合は、フック部材１６が設けられたおむつカバー本体１２の幅方向の端部を尿パッド等の肌面側に折り返すことにより、フック部材１６を尿パッド等の肌面側に係合させることができる。従って、様々な大きさ（幅）の尿パッド等をおむつカバー１１に固定することが可能となる。また、尿パッド等の外面側がプラスチックフィルムで構成されていても、フック部材１６を尿パッド等の肌面側に係合させることで、尿パッド等をおむつカバー１１に固定することができる。
【００４３】
図４および図５に示したおむつカバー１１では、フラップ１５は幅方向ｘの内方に膨らんだ湾曲状に設けられることが好ましい。具体的には、フラップ１５は、固定部が幅方向ｘの内方に膨らんだ湾曲状に形成されることが好ましい。このようにフラップ１５が設けられれば、股部Ｃで、フック部材１６を設ける部分（具体的には、フラップ１５またはおむつカバー本体１２のフック部材１６を設ける部分）の幅方向ｘの長さが十分確保されやすくなるとともに、フラップ１５は前後方向ｙの端部では幅方向ｘに狭く形成され、おむつカバー１１を着用する際などにフラップ１５が邪魔にならなくなる。
【００４４】
なお図面には示されていないが、股部には、おむつカバー本体の幅方向の両端部に、前後方向に延びるように弾性部材が設けられることが好ましい。図４および図５に示したおむつカバー１１では、サイドシート１８の幅方向ｘの外方端部に、前後方向ｙに延びるように弾性部材が設けられることが好ましい。このように弾性部材が設けられていれば、おむつカバーの着用時、おむつカバーの幅方向の端部が着用者の肌に向かって持ち上がり、おむつカバーの肌面側に載置した尿パッド等が幅方向にずれにくくなる。また、おむつカバーに、着用者の脚周りに沿ったギャザーが形成され、尿等の横漏れ防止効果が高められる。
【００４５】
一方、フラップには、弾性部材が設けられないことが好ましい。フラップは、フック部材が設けられるか、フック部材が係合可能に形成されるため、フラップには弾性部材が設けられることによりギャザーが形成されないことが好ましい。
【符号の説明】
【００４６】
１，１１：  おむつカバー
２，１２：  おむつカバー本体
５，７，１５：  フラップ
６，８，１６：  フック部材
【図１】
2013172867.tif 000003
【図２】
2013172867.tif 000004
【図３】
2013172867.tif 000005
【図４】
2013172867.tif 000006
【図５】
2013172867.tif 000007